(57)【要約】【課題】呼が音声ブラウザによって受信されるかどうかとは独立に音声ブラウザにロードできる電話アプリケーションのクラスを提供すること。【解決手段】音声マークアップ言語ドキュメントを処理するように構成された音声ブラウザは、音声処理アプリケーションと、音声処理システムと相互作用するための統合通信インターフェースとを含むことができる。音声ブラウザは、受信した呼とは独立に、音声処理アプリケーションをロードするように構成することができる。統合通信インターフェースは、トランザクション機能応用部問い合わせを受信するための統合トランザクション機能応用部コンポーネントと、電話制御信号を受信するための統合ＩＳＵＰコンポーネントの少なくとも一方を含むことができる。
2005536909.tif 000002
【特許請求の範囲】
【請求項１】
電話アプリケーションと、音声処理システムとの相互作用のための統合通信インターフェースとを含み、受信した呼とは独立に、前記電話アプリケーションをロードするように構成される、音声ブラウザ。
【請求項２】
前記統合通信インターフェースが、トランザクション機能応用部問い合わせを送受信するための統合トランザクション機能応用部コンポーネントと、電話制御信号を送受信するための統合ＩＳＵＰコンポーネントの少なくとも一方を含む、請求項１に記載の音声ブラウザ。
【請求項３】
前記電話アプリケーションが、番号変換、発信者名通知、および番号ポータビリティからなる群から選択される電話サービスを実行するように構成される、請求項１または２に記載の音声ブラウザ。
【請求項４】
前記統合トランザクション機能応用部コンポーネントおよび前記統合ＩＳＵＰコンポーネントが、ソフトウェア・コンポーネントである、請求項２または３に記載の音声ブラウザ。
【請求項５】
前記ソフトウェア・コンポーネントがＪａｖａ（Ｒ）ビーンズである、請求項４に記載の音声ブラウザ。
【請求項６】
前記音声アプリケーションが、前記統合通信インターフェースを参照するオブジェクト・タグを含む、請求項２ないし５のいずれか一項に記載の音声ブラウザ。
【請求項７】
トランザクション機能応用部問い合わせを送受信するための統合トランザクション機能応用部コンポーネント、および、電話制御信号を送受信するための統合ＩＳＵＰコンポーネントを含む、音声ブラウザ。
【請求項８】
スピーチ／テキスト・ツー・スピーチ・プロセッサと、
少なくとも１つの音声処理アプリケーションと、
前記スピーチ／テキスト・ツー・スピーチ・プロセッサと前記少なくとも１つの音声処理アプリケーションの動作の協調をはかるように構成されたコーディネーション・プロセッサと、
複数のアクティブな音声ブラウザであって、前記アクティブな音声ブラウザのそれぞれ１つが、前記コーディネーション・プロセッサとの通信のための通信インターフェースを含み、前記通信インターフェースが、トランザクション機能応用部問い合わせを送受信するための統合トランザクション機能応用部コンポーネントと電話制御信号を送受信するための統合ＩＳＵＰコンポーネントの少なくとも一方を有する、音声ブラウザと
を含む、音声処理システム。
【請求項９】
前記統合トランザクション機能応用部コンポーネントおよび前記統合ＩＳＵＰコンポーネントが、ソフトウェア・コンポーネントである、請求項８に記載の音声処理システム。
【請求項１０】
前記ソフトウェア・コンポーネントがＪａｖａ（Ｒ）ビーンズである、請求項９に記載の音声処理システム。
【請求項１１】
受信した呼とは独立に、前記音声ブラウザの１つにロードされる電話アプリケーションをさらに含む、請求項８、９、または１０に記載の音声処理システム。
【請求項１２】
前記アクティブな音声ブラウザが、音声アプリケーションをロードして、番号変換、発信者名通知、および番号ポータビリティからなる群から選択される電話サービスを実行する、請求項８ないし１１のいずれか一項に記載の音声処理システム。
【請求項１３】
電話音声処理システムにおいて、音声ブラウザ・アプリケーションを管理する方法であって、
それぞれが、トランザクション機能応用部問い合わせを送受信するための統合トランザクション機能応用部インターフェースと電話制御信号を送受信するための統合ＩＳＵＰインターフェースの少なくとも一方を含む１つまたは複数のアクティブな音声ブラウザを割り当てるステップと、
前記アクティブな音声ブラウザの１つに、該１つの音声ブラウザが呼を受信するかどうかとは独立に、音声アプリケーションをロードするステップと
を含む方法。
【請求項１４】
前記ロードするステップが、前記音声ブラウザ中で、呼を受信するのに応答して前記電話アプリケーションをロードするステップをさらに含む、請求項１３に記載の方法。
【請求項１５】
前記ロードするステップが、前記受信した呼に応答するのに先立って、前記電話アプリケーションをロードするステップを含む、請求項１４に記載の方法。
【請求項１６】
前記ロードするステップが、トランザクション機能応用部問い合わせを前記アクティブな音声ブラウザの１つの中で受信するのに応答して、前記電話アプリケーションをロードするステップをさらに含む、請求項１３、１４または１５に記載の方法。
【請求項１７】
前記ロードするステップが、ＩＳＵＰ電話制御信号を受信するのに応答して、前記電話アプリケーションをロードするステップを含む、請求項１３ないし１６のいずれか一項に記載の方法。
【請求項１８】
前記ロードするステップが、番号変換、発信者名通知、および番号ポータビリティからなる群から選択される電話サービスを実行するための前記電話アプリケーションをロードするステップを含む、請求項１３ないし１７のいずれか一項に記載の方法。
【請求項１９】
それぞれが、トランザクション機能応用部問い合わせを送受信するための統合トランザクション機能応用部インターフェースと電話制御信号を送受信するための統合ＩＳＵＰインターフェースの少なくとも一方を含む１つまたは複数のアクティブな音声ブラウザを割り当てるステップと、
前記アクティブな音声ブラウザの１つに、該１つの音声ブラウザが呼を受信するかどうかとは独立に、電話アプリケーションをロードするステップと
を機械に実行させるための、前記機械によって実行可能な、複数のコード・セクションを有するコンピュータ・プログラムが格納された、機械可読ストレージ。
【請求項２０】
前記ロードするステップが、前記音声ブラウザ中で、呼を受信するのに応答して前記電話アプリケーションをロードするステップをさらに含む、請求項１９に記載の機械可読ストレージ。
【請求項２１】
前記ロードするステップが、前記受信した呼に応答するのに先立って、前記電話アプリケーションをロードするステップを含む、請求項２０に記載の機械可読ストレージ。
【請求項２２】
前記ロードするステップが、トランザクション機能応用部問い合わせを前記アクティブな音声ブラウザの１つの中で受信するのに応答して、前記電話アプリケーションをロードするステップをさらに含む、請求項１９、２０または２１に記載の機械可読ストレージ。
【請求項２３】
前記ロードするステップが、ＩＳＵＰ電話制御信号を受信するのに応答して、前記電話アプリケーションをロードするステップを含む、請求項１９ないし２２のいずれか一項に記載の機械可読ストレージ。
【請求項２４】
前記ロードするステップが、番号変換、発信者名通知、および番号ポータビリティからなる群から選択される電話サービスを実行するための前記電話アプリケーションをロードするステップを含む、請求項１９ないし２３のいずれか一項に記載の機械可読ストレージ。
【発明の詳細な説明】
【技術分野】
【０００１】
本発明は、電話の領域に関し、より詳細には、音声ブラウザの領域に関する。
【背景技術】
【０００２】
音声ブラウザ技術は、対話的電話サービスの開発に使用される。たとえば、ＩＶＲと呼ばれる音声自動応答ユニットは、音声ブラウザ、およびボイスレットと呼ばれる１つまたは複数の音声マークアップ言語モジュールによって実装できる。呼を受信すると、その呼は音声ブラウザに回送される。音声ブラウザは、その呼に応答することができ、呼に応答した後、その呼を処理するためにボイスレットをロードすることができる。
【０００３】
しかし、従来の音声ブラウザでは、音声ブラウザの内部でボイスレットを起動するのに先立って、受信した呼に応答しなければならない。したがって、従来の音声ブラウザ技術では、受信した呼とは独立に稼動できる、あるいは着信呼を受信または応答するのに先立ってロードする必要のある、どのようなサービス・アプリケーションの実装も排除される。したがって、たとえば、呼に応答するのに先立ってボイスレットが起動される必要のある、「８００番」番号変換、発信者名通知、番号ポータビリティなどのサービス・アプリケーションは、従来の音声ブラウザ技術を用いて実装することができない。
【発明の開示】
【発明が解決しようとする課題】
【０００４】
本明細書に開示する発明は、呼が音声ブラウザによって受信されるかどうかとは独立に音声ブラウザにロードできる電話アプリケーションのクラスを提供する。
【課題を解決するための手段】
【０００５】
本発明の一態様では、電話アプリケーションと、音声処理システムと相互作用するための統合された通信インターフェースとを含むことができる、音声ブラウザが開示される。電話アプリケーションは、たとえば、番号変換、発信者名通知、または番号ポータビリティ、あるいはそれらの組み合わせなどの、様々な電話サービスのいずれかを実行するように構成できる。音声ブラウザが、受信した呼とは独立に電話アプリケーションをロードするように構成できる点は、注目すべきである。
【０００６】
統合通信インターフェースは、トランザクション機能応用部（ＴＣＡＰ）問い合わせを送受信するための統合ＴＣＡＰコンポーネントと、電話制御信号を送受信するための統合ＩＳＤＮユーザ部（ＩＳＵＰ）コンポーネントの少なくとも一方を含むことができる。ＴＣＡＰインターフェースおよびＩＳＵＰインターフェースは、Ｊａｖａ（Ｒ）ビーンズ、またはＪａｖａ（Ｒ）ビーンズと互換性のあるビーンズなどのソフトウェア・コンポーネントとすることができる。音声処理アプリケーションは、統合通信インターフェースを参照するためのオブジェクト・タグを含むことができる。
【０００７】
本発明の別の態様では、音声処理システムを含むことができる。音声処理システムは、スピーチ／テキスト・ツー・スピーチ・プロセッサと、少なくとも１つの音声処理アプリケーションと、スピーチ／テキスト・ツー・スピーチ・プロセッサと音声処理アプリケーションの動作の協調をはかるように構成された、コーディネーション・プロセッサとを含むことができる。音声処理システムは、さらに、複数のアクティブな音声ブラウザを含むことができる。アクティブな音声ブラウザのそれぞれは、それに含まれる通信インターフェースを介して、コーディネーション・プロセッサと通信することができる。通信インターフェースは、ＴＣＡＰ問い合わせを送受信するための統合ＴＣＡＰコンポーネントと、電話制御信号を送受信するための統合ＩＳＵＰコンポーネントの少なくとも一方を含むことができる。ＴＣＡＰインターフェースおよびＩＳＵＰインターフェースは、たとえば、Ｊａｖａ（Ｒ）ビーンズ、または、Ｊａｖａ（Ｒ）ビーンズと互換性のあるビーンズである、ソフトウェア・コンポーネントとすることができる。
【０００８】
音声処理システムは、受信した呼とは独立に音声ブラウザの１つにロードすべき電話アプリケーションを含むことができる。たとえば、アクティブな音声ブラウザは、番号変換、発信者名通知、または番号ポータビリティ、あるいはそれらの組み合わせなどの電話サービスを実行するために、電話アプリケーションをロードすることができる。
【０００９】
本発明の別の態様では、電話音声処理システム中の音声ブラウザ・アプリケーションを管理する方法を含むことができる。この方法は、１つまたは複数のアクティブな音声ブラウザを割り当てることを含むことができる。各音声ブラウザはそれぞれ、ＴＣＡＰ問い合わせを送受信するためのＴＣＡＰインターフェースと、電話制御信号を送受信するための統合ＩＳＵＰインターフェースの少なくとも一方を含むことができる。電話アプリケーションは、呼に応答するのに応じてロードすることができるが、この方法は、音声ブラウザが呼を受信するかどうかとは独立に、アクティブな音声ブラウザの１つの内部で電話アプリケーションをロードすることを含むことができる。たとえば、電話アプリケーションを、ＴＣＡＰ問い合わせ、ＩＳＵＰ電話制御信号、または呼あるいはこれらの組み合わせを受信するのに応じてロードすることができる。電話アプリケーションが、呼を受信するのに応じて、ただしその呼に応答するのに先立って、ロードできる点は、注目すべきである。電話アプリケーションは、番号変換、発信者名通知、番号ポータビリティなどの電話サービスを実行するためにロードすることが可能である。
【００１０】
図面には、現時点で好ましい実施形態が示されているが、ただし、本発明がそこに示される厳密な配置および手段に限定されないことが了解されている。
【発明を実施するための最良の形態】
【００１１】
本明細書に開示する発明は、呼が音声ブラウザによって受信されるかどうかとは独立に音声ブラウザの内部でロードできる電話アプリケーションのクラスを提供する。特に、本発明は、トランザクション機能応用部（ＴＣＡＰ）コンポーネントおよびＩＳＤＮユーザ部（ＩＳＵＰ）コンポーネントを有する統合通信インターフェース付きで構成できる音声ブラウザを提供しており、それにより、音声ブラウザはＴＣＡＰ問い合わせおよびＩＳＵＰ制御信号を受信することが可能になる。さらに、この統合通信インターフェースにより、音声ブラウザの内部で実行される電話アプリケーションは、音声ブラウザを介して、ＴＣＡＰベースおよびＩＳＵＰベースのサービスにアクセスできるようになる。
【００１２】
図１は、本明細書に開示する本発明の配置による、音声処理システム１００を示す概略図である。図１に示すように、システム１００は、スピーチ／テキスト・ツー・スピーチ（ＴＴＳ）プロセッサ１０５、１つまたは複数の音声処理アプリケーション１１０、およびＮｏ．７信号方式（ＳＳ７）インターフェース１１５を含むことができる。スピーチ／テキスト・ツー・スピーチ・プロセッサ１０５、音声処理アプリケーション１１０、およびＳＳ７インターフェース１１５はそれぞれ、コーディネーション・プロセッサ１２０を介して通信可能にリンクすることができる。コーディネーション・プロセッサ１２０は、さらに、システム１００の様々なコンポーネント間の相互作用の協調をはかることができる。
【００１３】
コーディネーション・プロセッサ１２０は、インターフェース１３０を介して、１つまたは複数の音声ブラウザ１２５と通信可能にリンクすることができる。音声ブラウザ１２５は、ＴＣＡＰコンポーネントおよびＩＳＵＰコンポーネントを有する統合通信インターフェースを含むように構成することができ、様々な電話アプリケーション１３５のいずれかにアクセスし、これをロードすることができる。音声ブラウザ１２５は、さらに、１つまたは複数のＨＴＴＰサーバ１４０および１５０に通信可能にリンクすることができる。ＨＴＴＰサーバ１４０および１５０はそれぞれ、１つまたは複数のアプリケーション・データ・ストア１４５および１５５に、それぞれ通信可能にリンクすることができる。
【００１４】
スピーチ／ＴＴＳプロセッサ１０５は、デジタル化されたスピーチをテキストに変換するように構成することができる。たとえば、スピーチ／ＴＴＳプロセッサ１０５は、デジタル化されたスピーチに対して音響分析を行って、１つまたは複数の可能なテキストまたは単語の候補を同定し、かつ可能な単語候補に対して文脈的または言語学的分析を行って、そのデジタル化されたスピーチ信号の最終的なテキスト表現を決定することができる。さらに、スピーチ／ＴＴＳプロセッサ１０５は、音声合成技術によって、あるいは、録音音声の応答または選択肢あるいはその両方を再生することによって、テキスト入力または発音データあるいはその両方から、スピーチを作成することができる。
【００１５】
音声処理アプリケーション１１０は、システムのオペレータまたは管理者が書くことのできる、１つまたは複数のプログラムまたはプログラムの組であってよい。音声処理アプリケーション１１０は、１つまたは複数の状態テーブルを、または音声処理システム１００の内部で稼動するカスタム・サーバを含むことができる。たとえば、音声処理アプリケーション１１０は、呼に応答し、発呼し、録音音声のセグメントを再生し、かつ発呼者とやり取りするためにスピーチ／ＴＴＳプロセッサ１０５の様々な機能にアクセスすることができる。
【００１６】
コーディネーション・プロセッサ１２０は、スピーチ／ＴＴＳプロセッサ１０５、音声処理アプリケーション１１０、およびＳＳ７インターフェースの動作の協調をはかり、かつ音声処理システム１００の上記コンポーネント間の通信を容易にすることができる。たとえば、図示のように、コーディネーション・プロセッサ１２０は、ＳＳ７インターフェース１１５を介して、他の電話交換システムおよび資源と通信することができる。ＳＳ７インターフェースは、当技術分野でよく知られているように、ＴＣＡＰおよびＩＳＵＰの通信コンポーネントを含むことができる。コーディネーション・プロセッサ１２０は、着信呼を処理し、発信呼を発し、または他の電話サービスを提供するのに必要な音声処理アプリケーション１１０にアクセスすることができる。コーディネーション・プロセッサ１２０はまた、スピーチ／ＴＴＳプロセッサ１０５と音声処理アプリケーション１１０との間でデータを回送することができる。さらに、コーディネーション・プロセッサは、音声ブラウザ１２５と通信するためのインターフェースを含むことができる。
【００１７】
音声ブラウザ１２５は、電話アプリケーション１３５をロードし実行することができる。電話アプリケーション１３５は、ボイスレットと呼ばれる音声マークアップ言語モジュール、たとえば、音声拡張マークアップ言語（ＶｏｉｃｅＸＭＬ）アプリケーションを含むことができる。したがって、電話アプリケーションは、合成されたスピーチ、またはデジタル化されたオーディオ信号、あるいはその両方を用いて音声ダイアログを作成し、ＤＴＭＦキー入力を認識し、発話された入力を録音することができる。上記は、電話アプリケーションの機能の網羅的なリストではない。このリストは、例示の目的で提供したものにすぎず、本発明に対する制限を意図するものではない。したがって、電話アプリケーション１３５は、ＷＷＷコンソーシアム（Ｗ３Ｃ）が公表したＶｏｉｃｅＸＭＬ仕様の枠内で指定される様々な機能のいずれを実行することもできることを、当業者は理解されよう。
【００１８】
音声ブラウザ１２５は、ＨＴＴＰ要求をフォーマットし、それらの要求を１つまたは複数のＨＴＴＰサーバ１４０および１５０に送信することができる。ＨＴＴＰサーバ１４０および１５０はそれぞれ、１つまたは複数の関連するデータ・ストアにアクセスすることができる。たとえば、ＨＴＴＰサーバ１４０は、アプリケーション・データ・ストア１４５にアクセスすることができ、ＨＴＴＰサーバ１５０は、アプリケーション・データ・ストア１５５にアクセスすることができる。ＨＴＴＰサーバ１４０がネットワーク外のＨＴＴＰサーバであるため、ＨＴＴＰサーバ１４０との通信を、公開鍵暗号および秘密鍵暗号ならびにデジタル証明書を用いて容易にすることができる点は、注目すべきである。たとえば、安全なデータ伝送を保証するために、ＳＳＬプロトコルを使用できる。いずれにせよ、アプリケーション・データ・ストア１４５および１５５はそれぞれ、音声マークアップ言語アプリケーション・データ、より詳細には、ＶｏｉｃｅＸＭＬアプリケーション・データなど、電話アプリケーション１３５によって必要とされる可能性のあるアプリケーション・データを含むことができる。
【００１９】
音声ブラウザ１２５は、インターフェース１３０を介して、コーディネーション・プロセッサ１２０と通信可能にリンクすることができる。インターフェース１３０は、一連のソフトウェア・コンポーネントを用いて実装できる。より詳細には、音声ブラウザ１２５は、ＴＣＡＰコンポーネントおよびＩＳＵＰコンポーネントを有する統合通信インターフェースを含むことができ、これらコンポーネントのそれぞれは、Ｊａｖａ（Ｒ）ビーン、またはＪａｖａ（Ｒ）ビーンズと互換性のあるビーンなどのソフトウェア・コンポーネントとして実装できる。この統合通信インターフェースを介して、音声ブラウザ１２５は、トランザクション指向のアプリケーションおよび機能にアクセスし、かつＩＳＤＮを介する音声呼および非音声呼のための回線交換サービスおよび関連機能を提供するのに必要な、手順、機能、および交換機間シグナリング情報フローにアクセスすることができる。すなわち、ＩＳＵＰコンポーネントは、呼の設定および管理に必要なプロトコルおよび手順をサポートすることができ、他方、ＴＣＡＰコンポーネントは、トランザクション情報の交換をサポートすることができる。この通信インターフェースが、電話アプリケーション１３５の内部にこのインターフェースへの参照を含めることにより、たとえば、ＶｏｉｃｅＸＭＬのオブジェクト属性を使用することにより、電話アプリケーション１３５によってアクセス可能である点は、注目すべきである。
【００２０】
例示として、音声処理システム１００は、アクティブ状態のまま残る１つまたは複数の音声ブラウザ１２５を割り当てることができる。音声ブラウザ１２５は、ＴＣＡＰコンポーネントおよびＩＳＵＰコンポーネントがその中に統合されているため、受信したＴＣＡＰ問い合わせまたはＩＳＵＰ電話制御信号の結果として、電話アプリケーション１３５をロードすることができる。すなわち、電話アプリケーション１３５は、呼が音声ブラウザによって応答される前に、または、呼を受信するのとは独立に、あるいはその両方で、ロードされることが可能である。したがって、音声ブラウザ１２５は、ＶｏｉｃｅＸＭＬなどの音声マークアップ言語を用いては従来利用可能でなかったサービスのクラスを提供することができる。たとえば、音声ブラウザ１２５および電話アプリケーション１３５によって、番号変換、発信者名通知、番号ポータビリティなどのサービスが提供できる。
【００２１】
ＴＣＡＰ要求、ＩＳＵＰ制御信号、または呼を受信すると、音声ブラウザ１２５は、適切な電話アプリケーション１３５をロードすることができる。電話アプリケーション１３５は、トランザクション・ベースの機能にも、ＩＳＤＮを介する音声呼および非音声呼のための回線交換サービスおよび関連機能を提供するのに必要な、手順、機能、および交換機間シグナリング情報フローにも、アクセスすることができる。さらに、電話アプリケーション１３５は、音声ブラウザ１２５に、ＨＴＴＰサーバ１４０および１５０に送るべきＨＴＴＰ要求を、必要な場合には安全な接続を介して、フォーマットさせることができる。これらのＨＴＴＰサーバは、場合に応じて、データ・ストア１４５および１５５の一方または両方にある、要求されたアプリケーション・データにアクセスし、音声ブラウザ１２５を介して、その要求されたアプリケーション・データを適切な電話アプリケーション１３５に提供することができる。
【００２２】
電話アプリケーション１３５は、統合通信インターフェースのＴＣＡＰコンポーネントを介してトランザクション・ベースのサービスを、また、統合通信インターフェースのＩＳＵＰコンポーネントを介して、たとえば、呼の設定および維持を、開始することができる。たとえば、「８００番」の電話番号に対するルーティング指示を決定するために、問い合わせを開始することができる。その問い合わせは、ＳＳ７インターフェース１１５によって受信され、コーディネーション・プロセッサ１２０およびインターフェース１３０を介して音声ブラウザ１２５に提供される。音声ブラウザ１２５は、受信した要求を処理するために、適切な電話アプリケーションをロードすることができる。さらに、電話アプリケーション１３５は、電話資源に対する問い合わせを開始し、あるいは音声ブラウザ１２５にＨＴＴＰ要求を他のＨＴＴＰサーバに送信させることができる。
【００２３】
本発明の他の態様では、外部の電話交換機に発した着信呼を、処理のために音声処理システム１００に回送することができる。音声処理システムは、ＳＳ７インターフェース１１５を介して電話交換機とやり取りを行って、呼を受信することができる。受信した呼は、コーディネーション・プロセッサ１２０の制御下にあるスピーチ／ＴＴＳプロセッサ１０５および音声処理アプリケーション１１０によって提供される音声自動応答機能を用いて、要求通りに処理することもできる。同様に、受信した呼は、音声ブラウザ１２５へと回送することもできる。したがって、呼を受信すると、ただし応答に先立って、音声ブラウザ１２５は、呼の設定および維持、またはトランザクション・ベースのサービス、あるいはその両方を行うために、電話アプリケーション１３５の１つをロードすることができる。
【００２４】
このようにして、本明細書に開示した発明では、呼が音声ブラウザによって受信されたかどうかとは独立に、音声ブラウザにロードできる音声アプリケーションのクラスが提供される。音声ブラウザは、ＴＣＡＰコンポーネントおよびＩＳＵＰコンポーネントを有する統合通信インターフェースを含んでいるため、ＴＣＡＰ問い合わせおよびＩＳＵＰ電話制御信号に応答して音声マークアップ言語アプリケーションをロードすることができる。
【００２５】
本発明は、ハードウェア、ソフトウェア、またはハードウェアとソフトウェアの組み合わせによって実現可能である。本発明は、１つのコンピュータ・システム中において集中方式で、または、異なる要素がいくつかの相互接続されたコンピュータ・システムにわたって広がる分散方式で実現可能である。本明細書中に記載された方法を実施するように適合されたどのような種類のコンピュータ・システムまたは他の装置も適している。ハードウェアとソフトウェアの典型的な組み合わせは、ロードされ実行されたとき、本明細書中に記載された方法を実施するようにコンピュータ・システムを制御する、コンピュータ・プログラムを有する汎用コンピュータ・システムとすることができる。
【００２６】
ここで、コンピュータ・プログラムとは、直接に、あるいは以下の一方または両方の後で、情報処理機能を有するシステムに特定の機能を実行させるための１組の命令の、任意の言語、コード、または表記法による任意の表現を意味する。ａ）他の言語、コード、または表記法への変換、ｂ）異なる素材形式による複製。
【００２７】
本発明は、その趣旨または本質的属性から逸脱することなく、他の形式で実施することができる。したがって、本発明の範囲を知るには、上記の明細書よりはむしろ、添付の特許請求の範囲を参照されたい。
【図面の簡単な説明】
【００２８】
【図１】本明細書に開示する本発明の配置による、音声処理システムの概略図である。
【図１】
2005536909.tif 000003
【国際調査報告】
2005536909.tif 000004
2005536909.tif 000005